(57)【要約】【課題】ろ布の破損等で固体状のダストを含むガスが後流に漏れたとしても、排ガスの流動を止めることなく、該ガスが、出口ダクトから流出するのを防止するろ過集塵機を提供する。【解決手段】ケース１と、ケース１に複数設けられたろ過フィルタ２と、ろ過フィルタ２の外部に付着したダストを払い落とす払い落とし装置３と、払い落とされたダストをケース１外に搬送するダスト搬送装置４とを有し、ろ過フィルタ２はかご状の枠体２１と枠体２１に外嵌するろ布２２を有しており、ろ過フィルタ２のガスが流動する下流側には、ろ布２から漏れたダストを含んだガスを再度ろ過する二次ろ過室５が設けられており、二次ろ過室５のガス流動部にはダストを捕集するダスト捕集部材５２ａを有している。【選択図】      図２
2004148225.tif 000002
【特許請求の範囲】
【請求項１】
ケースと、
前記ケースに複数設けられたろ過フィルタと、
前記ろ過フィルタの外部に付着したダストを払い落とす払い落とし装置と、
払い落とされた前記ダストを前記ケース外に搬送するダスト搬送装置とを有するろ過集塵機であり、
前記ろ過フィルタはかご状の枠体と該枠体に外嵌するろ布を有しており、
前記ろ過フィルタのガス流動の下流側には、前記ろ布から漏れた前記ダストを含んだガスを再度ろ過する二次ろ過室が設けられており、
前記二次ろ過室のガス流動部にはダストを捕集するダスト捕集部材を有していることを特徴とするろ過集塵機。
【請求項２】
前記ダスト捕集部材は所定量のダストを捕集した後に、目詰まりをおこしてガスの流動を停止する請求項１記載のろ過集塵機。
【請求項３】
前記ダスト捕集部材は、前記ろ布と同じ又は略同じ材料で形成されている請求項１又は２記載のろ過集塵機。
【請求項４】
前記ダスト捕集部材は、メッシュ状に形成されており、前記二次ろ過室の側周壁を形成している請求項１又は２記載のろ過集塵機。
【請求項５】
前記ダスト捕集部材は、ワイヤメッシュを有しており、
筒状の部材で形成され、前記枠体と気密に接続する側周壁を有し、
前記ダスト捕集部材は、前記二次ろ過室の天面を形成している請求項１又は２記載のろ過集塵機。
【請求項６】
前記ダスト捕集部材は、前記ろ布と一体的に形成されており、該ダスト捕集部材は前記二次ろ過室の側周壁を形成する請求項１又は２記載のろ過集塵機。
【請求項７】
請求項３から６に記載のダスト捕集部材のうち少なくとも２種を同時に用いるろ過集塵機。
【発明の詳細な説明】
【０００１】
【発明の属する技術分野】
本発明は、ろ過集塵機に関する。
【０００２】
【従来の技術】
今日、粉塵、ダイオキシン等の固体物ダストを含有する排ガスを排出する施設（発電所、清掃工場、製鉄所等）には、排ガス中の固体物ダストを取り除く装置としてろ過集塵機が多く採用されている。ろ過集塵機は排ガス内の固体物ダストを不織布等で形成されるろ布によって該固体物ダストを捕集することで、排ガス中から該ダストを取り除く。ろ布によって捕集されたダストは払い落とし装置にて払い落とされ、搬送装置にてろ過集塵機外部に搬送され、処理される。
【０００３】
従来、用いられているろ過集塵機を図６及び図７を参照して説明する。従来例の図６はろ過集塵機の側断面図であり、図７は図６に示すろ過集塵機に用いられるろ過フィルタの側断面図である
【０００４】
図６に示すろ過集塵機は逆洗型のろ過集塵機である。ろ過集塵機Ｂは、金属製のケース１と、複数のろ過フィルタ２と、ろ過フィルタ２の外面に付着したダストを払い落とす払い落とし装置３及びダストの搬送装置として抽送コンベヤ４を有している。
【０００５】
ケース１は、固体物ダストを含有している排ガスを導入する入口ダクト１１と、ろ過フィルタ２によってろ過された浄化ガスが排出される出口ダクト１２を有している。また、ろ過フィルタ２を挿入するための貫通孔を備え、貫通したろ過フィルタ２を支持するろ過フィルタ支持板１３も有している。
【０００６】
払い落とし装置３は、高圧タンク３２に接続された空圧パイプ３３と、空圧パイプ３３の各ろ過フィルタ２の上部に配置され高圧タンク３２より噴出された高圧空気を、各ろ過フィルタ２の内部に向けて噴射する逆洗ノズル３１を有している。
【０００７】
図７に示すように、ろ過フィルタ２は円筒形の金属製枠体２１に不織布からなるろ布２２を外嵌したものである。枠体２１は下部が閉じたかご状に形成されており、上端部にはろ過フィルタ支持板１３と係合するためのフランジ部２３を有している。
【０００８】
ろ布２２は一方が閉じ他方が開いた袋状に形成されており、開いた部分の端部２２１がほかの部分よりも硬く厚く形成されている。ろ過フィルタ２は枠体２１をろ布２２が覆っている状態でろ過フィルタ支持板１３の貫通孔１３１に挿入される。そして、支持板１３に予め設けられたボルト１３２をフランジ部２３に形成されたねじ孔２３１に挿入し、フランジ２３上側からナット１３３を螺合することでろ過フィルタ２を支持板１３に固定する。このとき、支持板１３とフランジ２３によってろ布２２の端部２２１が圧迫されて、ろ布２２が固定される。
【０００９】
ろ過フィルタ２は図６に示すようにケース１内部に規則正しく配置されており、ろ過集塵機Ｂ内部を通るガスの流量に応じて、数百個〜数千個のろ過フィルタ２が配置されている。
【００１０】
次に従来のろ過集塵機Ｂの動作を図面を参照して説明する。
【００１１】
出口ダクト１２外部から吸引されて又は入口ダクト１１外部から圧送されて、入口ダクト１１から入った排ガスは、その中に含まれる石炭灰や焼却灰、ダイオキシン類等固体状のダストがろ布２２の表面で捕集され、該排ガスから固体状ダストが取り除かれた状態で出口ダクト１２から出ていく。
【００１２】
一方ろ布２２上に堆積したダストは、一定の時間ごとに逆洗ノズル３１から噴射される高圧の空気（逆洗エア）により、ケース１下方へと払い落とされる。払い落とされたダストは、コンベヤ４により外部へ搬出され、図示を省略したダスト処理設備へ送られる。
【００１３】
払い落とし装置３は、数分程度の時間をあけて、ろ過フィルタ数本ずつに対して逆洗エアを噴射する。これにより、払い落とし作業（逆洗エア噴射）を行っているときも排気ガスは常に入口ダクト１１から流入し、払い落としされていないろ過フィルタによってろ過されているので、払い落とし作業によるろ過能力の低下及び圧力損失を抑えることができる。また、ろ過しつつ払い落としも行うので、メンテナンス時以外に運転停止できないプラント（例えば発電所、清掃工場、製鉄所等）に採用されている。
【００１４】
また、排ガス中の塩化水素や硫黄酸化物は、ろ過集塵機Ｂの入口ダクト１１手前で吹き込まれる消石灰等の化学物質と化学反応を起こし化合物を生成し、その生成物はろ布２２上で捕集される。また、気体状のダイオキシン類等についても、ろ過集塵機Ｂの入口ダクト１１手前で吹き込まれる活性炭等に吸着され、該活性炭とともにろ布２２にて捕集される。
【００１５】
【特許文献１】
特開平９−４１９４７号公報
【００１６】
【発明が解決しようとする課題】
しかしながら、ろ過集塵機Ｂでは逆洗エアの噴射によってろ布が振動する。ろ布２２が振動することで、ろ布２２がろ過フィルタの枠体と擦れて、磨耗し、破損する。
【００１７】
また、ろ過フィルタ２のろ布２２とダストとの接触によって、ろ布２２が徐々に磨耗していき、破損する場合もある。
【００１８】
１つ又は２つ以上のろ布２２に破損が生じた場合、石炭灰やダイオキシン等の固体状のダストや塩化水素や硫黄酸化物等の化学物質ガスがろ布２２の破損箇所を通り抜けてしまい、有害物質がフィルタ２で捕集されないままろ過集塵機Ｂの出口ダクト１２から流出してしまう。そのことによって、ろ過集塵機Ｂから流出するダストを含んだガスが下流側の機器・装置に不具合を生じさせたり、大気に流出して環境汚染の原因となったりする。
【００１９】
また、ろ過フィルタ２の破損を直すために、ろ過フィルタ２を交換するとしても、排ガスの流通を一時停止、すなわち、プラントを一時停止しなくてはならない。また、何らかのアクシデントを考慮して排気を分岐して（バイパス路を設けて）おくことも可能であるが、ろ過集塵機を複数台設置しなくてはならず、コストがかかりすぎる。
【００２０】
一方のろ過集塵機を用いてろ過捕集を行っているときには、その他の集塵機は動いておらず、排気装置全体で見た場合非常に無駄の多い設備となってしまう。
【００２１】
そこで本発明は、複数のろ過フィルタのうち一部が破損しても、比較的安価で、且つ、容易に、固体状のダストを含有するガスが出口ダクトから流出するのを防ぐろ過集塵機を提供することを目的とする。
【００２２】
【課題を解決するための手段】
上記目的を達成するため本発明は、ケースと、前記ケースに複数設けられたろ過フィルタと、前記ろ過フィルタの外部に付着したダストを払い落とす払い落とし装置と、前記払い落とされたダストをケース外に搬送するダスト搬送装置とを有するろ過集塵機であり、前記ろ過フィルタは枠体と該枠体に外嵌するろ布を有しており、前記ろ過フィルタのガスが流動する下流側には、前記ろ布から漏れた前記ダストを含んだガスを再度ろ過する二次ろ過室が設けられており、二次ろ過室のガス流動部にはダストを捕集するダスト捕集部材を有しているろ過集塵機を提供する。
【００２３】
この構成によると、ろ過集塵機運転中に、逆洗エア噴射による摩擦等でろ過フィルタに外嵌するろ布が破損しても、固体状ダストは該ダストを含有する排ガスが二次ろ過室に流れ込むことで、該二次ろ過室のダスト捕集部材によって捕集される。それによって、ろ布が破損した場合でも、ろ過集塵機の出口ダクトから清浄ガスが排出される。
【００２４】
また、前記二次ろ過室のダスト捕集部材は、ろ布に比べてろ過面積が小さく、すぐに目が詰まる。ダスト捕集部材が目詰まりすることで、ガスが流れなくなり、結果としてダストを含むガスが出口ダクトから流出することは防ぐことができる。
【００２５】
その結果、固体物ダストが出口ダクトから排出されるのを防止することができる。また、プラントを定期点検時以外に排ガスの流れを停止しなくてもよいので、プラントの稼働率の低下を防ぐことができる。
【００２６】
上記構成のダスト捕集部材において、該ダスト捕集部材が前記ろ布と同じ又は略同じ部材であり、前記二次ろ過室の側周壁を形成しているものを例示できる。
【００２７】
この構成によると、前記ダスト捕集部材にろ布と同じ又は略同じ部材を用いることで、該ダスト捕集部材はろ布が捕集できるダストであれば、略捕集することが可能である。その結果、後流へのダスト漏れを防ぐことができる。
【００２８】
前記ダスト捕集部材において、該ダスト捕集部材がメッシュ状に形成されており、前記二次ろ過室の側周壁を形成しているものを例示できる。
【００２９】
この構成によると、ろ布が破損していないときにろ布によって浄化された清浄ガスが前記ダスト捕集部材を通過する際に抵抗が少なく、それだけ圧力損失を低減することができる。また、ガスの流動面積が広いので流速の上昇を抑えることができる。
【００３０】
前記ダスト捕集部材のメッシュは金属製のものを例示できる。メッシュの材質はダスト及び排ガスによって腐食や、破断等の破損を起こしにくいものを広く採用することができる。メッシュの粗さは、ダストが該メッシュによって捕集される程度のものを広く採用することができる。
【００３１】
前記ダスト捕集部材において、該ダスト捕集部材がワイヤメッシュを有しており、前記ろ過フィルタの枠体と気密に接続された筒状の側周壁の上部に前記二次ろ過室の天面として配置されるものを例示できる。
【００３２】
この構成によると、ガスの流動部面積が小さくなっており、ダスト捕集部材の目詰まりが早くおこり、それだけ後流にダストが漏れるのを防ぐことができる。また、ワイヤメッシュが外れたり、移動したりするのを防ぐために該ワイヤメッシュを支持するメッシュ部材を備えていてもよい。また、ワイヤメッシュの支持部材はメッシュ部材に限られるものではなく、ガスの流動を妨げず、ワイヤメッシュを確実に支持できるものを広く採用することができる。
【００３３】
前記ダスト捕集部材は、前記ろ布と一体的に形成されており、前記二次ろ過室の側周壁を形成するものを例示できる。
【００３４】
この構成によると、従来から用いてきたろ過集塵機に一部改良を加えるだけで適用可能なので、容易に適用可能である。また、ろ布とダスト捕集部材が一体的に形成されているので、メンテナンス時の交換が容易である。
【００３５】
前記ダスト捕集部材は、上述のダスト捕集部材のうち複数を組み合わせたものを例示できる。
【００３６】
この構成によると、より高いダスト捕集能力を発揮できる。
【００３７】
上述のろ過フィルタは円筒形のもの、楕円筒形のもの等、ガスを十分に流すことができ、外面に付着したダストを払い落とすことができる形状を広く採用することができる。
【００３８】
上述の二次ろ過室は、逆洗型のろ過集塵機に適用するものを例示したが、それに限定されるものではなく、ろ布にて捕集されたダストを払い落として、搬出するろ過集塵機に広く採用することができる。
【００３９】
【発明の実施の形態】
本発明の実施形態を図面を参照して説明する。
【００４０】
図１に本発明に係るろ過集塵機の一例の概略断面図を示す。従来例で示したろ過集塵機Ｂと実質的に同じ部分には同じ符号が付してある。
【００４１】
（第１の実施例）
図１に示すろ過集塵機は逆洗型のろ過集塵機である。ろ過集塵機Ａは、金属製のケース１と、複数のろ過フィルタ２と、ろ過フィルタ２の外面に付着したダストを払い落とす払い落とし装置３及びダストの搬送装置として抽送コンベヤ４と、ろ過フィルタ２の上方に二次ろ過室５ａと、を有している。
【００４２】
ケース１は、ダストを含有している排ガスを導入する入口ダクト１１と、ろ過フィルタ２によってろ過された浄化ガスが排出される出口ダクト１２を有している。また、ろ過フィルタ２を挿入するための貫通孔を備え、貫通したろ過フィルタ２を支持するろ過フィルタ支持板１３も有している。
【００４３】
払い落とし装置３は、高圧タンク３２に接続された空圧パイプ３３と、各ろ過フィルタ２上方に高圧タンク３２より噴出した高圧空気を定期的に各ろ過フィルタ２の内部に向けて噴射する逆洗ノズル３１とを有している。
【００４４】
図２に図１に示すろ過集塵機に用いられるろ過フィルタ及び二次ろ過室の断面図を示す。
【００４５】
図２に示すろ過フィルタ２は円筒形の金属製枠体２１に不織布からなるろ布２２を外嵌したものである。枠体２１は下部が閉じたかご状に形成されており、上端部にはろ過フィルタ支持板１３と係合するためのフランジ部２３を有している。
【００４６】
ろ布２２は一方が閉じ他方が開いた袋状に形成されており、開いた部分の端部２２１がほかの部分よりも硬く厚く形成されている。枠体２１をろ布２２が覆っている状態のろ過フィルタ２はろ過フィルタ支持板１３の貫通孔１３１に挿入され、支持板１３に予め設けられたボルト１３２をフランジ部２３に形成されたねじ孔２３１に挿入してフランジ２３上側からナット１３３を螺合して固定する。このとき、支持板１３とフランジ２３によってろ布２２の端部２２１が圧迫されて、ろ布２２が固定される。
【００４７】
二次ろ過室５は、中央部に貫通孔５１１ａを有する天面板５１ａと、ろ過室５ａの側周面を形成しろ布２２で捕集できなかったダストを捕集するダスト捕集部材５２ａと、天面板５１ａと対向しダスト捕集部材５２ａの上側端部５２１ａを支持する上側支持部材５３ａと、フランジ部２３と対向しダスト捕集部材５２ａの下側端部５２２ａを支持する下側支持部材５４ａとを有している。
【００４８】
上側支持部材５３ａはボルト５３１ａ及びナット５３２ａで天面板５１ａと連結しており、ダスト捕集部材５２ａは天面板５１ａと上側支持部材５３ａに圧迫されて固定されている。また、下側支持部材５４ａは枠体のフランジ部２３とボルト１３２及びナット１３３によってフィルタ支持板１３に共締めされている。
【００４９】
図１に示すろ過集塵機Ａの動作を図面を参照して説明する。
【００５０】
出口ダクト１２外部から吸引されて又は入口ダクト１１外部から圧送されて、入口ダクト１１から入った排ガスは、その中に含まれる石炭灰や焼却灰、ダイオキシン類等固体状のダストがろ布２２の表面で捕集され、該排ガスから固体状ダストが取り除かれた状態（清浄ガス）で出口ダクト１２から出ていく。
【００５１】
一方ろ布２２上に堆積したダストは、一定の時間ごとに逆洗ノズル３１から噴射される高圧の空気（逆洗エア）により、ケース１下方へと払い落とされる。払い落とされたダストは、コンベヤ４により外部へ搬出され、図示を省略したダスト処理設備へ送られる。
【００５２】
払い落とし装置３は、数分程度の時間をあけて、ろ過フィルタ数本ずつに対して逆洗エアを噴射する。このとき、排気ガスは常に入口ダクト１１から流入し払い落とし作業がされていないろ過フィルタによってろ過されているので、払い落とし作業によるろ過能力の低下及び圧力損失を低く抑えることができる。また、ろ過しつつ払い落としも行うので、メンテナンス時以外に運転停止できないプラント（例えば発電所、清掃工場、製鉄所等）にも採用可能である。
【００５３】
（第２の実施例）
図３に本発明に係るろ過集塵機の他の例のろ過フィルタ及び二次ろ過室の概略断面図を示す。ろ過集塵機の本体及び動作は第１の実施例に示したものと同じであり図示を省略した。
【００５４】
図３に示すろ過フィルタは第１の実施例に示すろ過フィルタ２と同一のろ過フィルタであり、同一の部分には同一の符号が付してある。
【００５５】
二次ろ過室５ｂは、中央部に貫通孔５１１ｂを有する天面板５１ｂと、ろ過フィルタ２のフランジ部２３及び天面板５１ｂを接続し金属メッシュを有するダスト捕集部材とを有している。
【００５６】
天面板５１ｂはガスが流動しない気密な部材で枠体２１の開口部よりも大きな面積を有している。天面板５１ｂの貫通孔５１１ｂには逆洗ノズル３１が気密に貫通挿入されており、貫通孔５１１ｂの内面と逆洗ノズル３１の外周面は気密に接触している。
【００５７】
ダスト捕集部材５２ｂは、二次ろ過室５ｂの側周壁を形成しており、ろ過フィルタ２の開口部よりも大きな断面開口部を有している。ダスト捕集部材５２ｂは天面板５１ｂの周端部５１２ｂと接続固定されている。
【００５８】
本実施例において、ダスト捕集部材５２ｂは金属製のメッシュを有するものを採用しているが、それに限定されるものでなく、排ガス中のダストを捕集でき、十分な強度を有するものを広く採用することができる。
【００５９】
本実施例の天面板５１ｂは気密性且つ平板のものを採用しているが、それに限定されるものではなく、ダスト捕集部材５２ｂ同様メッシュを有するものでもよい。
また、天面板は必ずしも平板である必要はなく、ガスの流動を妨げないものを広く採用することができる。また、ダスト捕集部材５２ｂと一体的に形成されていてもよい。
【００６０】
（第３の実施例）
図４に本発明に係るろ過集塵機のさらに他の例のろ過フィルタ及び二次ろ過室の概略断面図を示す。ろ過集塵機の本体及び動作は第１の実施例に示したものと同じであり図示を省略した。
【００６１】
図４に示すろ過フィルタは、第１の実施例に示されているろ過フィルタ２と同一であり、実質的に同一の部分には同一の符号が付してある。
【００６２】
二次ろ過室５ｃは、筒状の側周壁５５ｃと、側周壁５５ｃの所定の位置に配置されたダスト捕集部材５２ｃを有している。
【００６３】
筒状の側周壁５５ｃは、ろ過フィルタ２のフランジ部２３と気密に接続している。また、側周壁５５ｃは、上方に向けて開口している。
【００６４】
ダスト捕集部材５２ｃは、金属製のワイヤメッシュで形成されている捕集部５２３ｃと捕集部５２３ｃを側周壁５５ｃの所定の高さにて支持する支持部５２４ｃとを有している。支持部５２４ｃはメッシュ状に形成されており、ガスの流動を妨げない。ダスト捕集部材５２ｃの中心部を逆洗ノズル３１が貫通している。
【００６５】
本実施例の側周壁５５ｃはろ過フィルタ２のフランジ部２３と一体的に形成されていてもよい。また、ダスト捕集部材５２ｃの捕集部５２３ｃは金属製のワイヤメッシュを採用しているが、それに限定されるものではなく、耐食性、強度を十分に有するものを広く採用することができる。
【００６６】
（第４の実施例）
図５に本発明に係るろ過集塵機のさらに他の例のろ過フィルタ及び二次ろ過室の概略断面図を示す。ろ過集塵機の本体及び動作は第１の実施例に示したものと同じであり図示を省略した。
【００６７】
図５に示す二次ろ過室５ｄは、ろ過フィルタ２ｄの枠体２１に外嵌しているろ布２２と一体に形成されているダスト捕集部材５２ｄを有している。ろ過フィルタ２はフランジ部２３で、ろ過フィルタ支持板１３に予め支持板１３に設けられたボルト１３２及びナット１３３を螺合することで固定されている。このとき、ろ布２２ｄの中間部２２２ｄは、フランジ部２３とろ過フィルタ支持板１３に圧迫されて固定されている。
【００６８】
二次ろ過室５ｄは中央部に貫通孔５１１ｄを有する天面板５１ｄを有しており、天面板５１ｄの下方に天面板５１ｄに対向して取り付けられる支持部材５３ｄを有している。
【００６９】
天面板５１ｄ及び支持板１３はろ布２２ｄの端部２２１ｄを挟んで、ボルト５３１ｄ及びナット５３２ｄを用いて連結されており、ろ布２２ｄの端部２２１ｄは天面板５１ｄ及び支持部材５３ｄに圧迫されることで支持されている。これにより、ろ布２２ｄの中間部２２２ｄから端部２２１ｄまでの間が二次ろ過室５ｄの側周壁を形成する。
【００７０】
第４の実施例のろ過集塵機は、従来から用いられてきたろ過集塵機に少しの改良を加えることで、二次ろ過室を形成することができるので、低コストで導入することができる。また、従来から用いている装置を改良して使用するので、省資源化にも有効である。
【００７１】
上記の各実施例は、逆洗エアを吹き付けてろ布に付着したダストを払い落とす逆洗式のろ過集塵機を例に挙げて説明しているが、それに限定されるものではない。払い落とし装置を備え、複数のろ過フィルタを有するものに広く適用することができる。
【００７２】
上述の各実施例では円筒形のろ過フィルタを採用しているが、それに限られるものではなく、楕円筒形、長円筒形等、排気ガスをろ過することができ圧力の偏りが生じないものを広く採用することができる。またろ布には不織布を用いているがこれに限られるものではなく、十分な集塵能力を有し、圧力損失をなるべくおこさないものを広く採用することができる
【００７３】
【発明の効果】
本発明によると、ろ過フィルタのろ布が破損しても、固体状ダストが含まれているガスが、出口ダクトから流出するのを防止するろ過集塵機を提供することができる。
【００７４】
また本発明は、ろ布が破損しても、排ガスの流動を止めることなく、固体状ダストが含まれたガスの出口ダクトからの流出を防止できるろ過集塵機を提供することができる。
【図面の簡単な説明】
【図１】本発明に係るろ過集塵機の一例の側断面図である。
【図２】本発明に係るろ過集塵機に採用されるろ過フィルタ及び二次ろ過室の一例の概略断面図である。
【図３】本発明に係るろ過集塵機に採用されるろ過フィルタ及び二次ろ過室の他の例の概略断面図である。
【図４】本発明に係るろ過集塵機に採用されるろ過フィルタ及び二次ろ過室のさらに他の例の概略断面図である。
【図５】本発明に係るろ過集塵機に採用されるろ過フィルタ及び二次ろ過室のさらに他の例の概略断面図である。
【図６】従来例のろ過集塵機の側断面図である。
【図７】図６に示すろ過集塵機に採用されるろ過フィルタの概略断面図である。
【符号の説明】
１  ケース
１１  入口ダクト
１２  出口ダクト
１３  ろ過フィルタ支持板
１３１  貫通孔
１３２  ボルト
１３３  ナット
２  ろ過フィルタ
２１  枠体
２２、２２ｄ  ろ布
２２１、２２１ｄ  ろ布端部
２２２ｄ  ろ布中間部
２３  フランジ部
３  払い落とし装置
３１  逆洗ノズル
３２  高圧タンク
３３  空圧パイプ
４  抽送コンベヤ
５ａ、５ｂ、５ｃ、５ｄ  二次ろ過室
５１ａ、５１ｂ、５１ｄ  天面板
５２ａ、５２ｂ、５２ｃ、５２ｄ  ダスト捕集部材
５３ａ  上側支持部材
５３ｄ  支持部材
５４ａ  下側支持部材
【図１】
2004148225.tif 000003
【図２】
2004148225.tif 000004
【図３】
2004148225.tif 000005
【図４】
2004148225.tif 000006
【図５】
2004148225.tif 000007
【図６】
2004148225.tif 000008
【図７】
2004148225.tif 000009